【事件の表示】
　特願２０１４−　８２９０５号「冷蔵庫」拒絶査定不服審判事件〔平成２７年１１月１６日出願公開、特開２０１５−２０３５２５号〕について、次のとおり審決する。
【結　論】
　本件審判の請求は、成り立たない。
【理　由】
第１　手続の経緯
　本願は、平成２６年４月１４日の出願に出願された特願２０１４−８２９０５号であり、その手続の経緯は、概略、以下のとおりである。 
平成２９年　８月　４日　　：拒絶理由通知 
平成２９年　９月２７日　　：意見書、手続補正書 
平成３０年　２月　７日　　：拒絶査定
平成３０年　５月１５日　　：審判請求 
平成３１年　４月　８日　　：拒絶理由通知 
令和　元年　５月３０日　　：意見書、手続補正書（以下、この手続補正書
　　　　　　　　　　　　　　による手続補正を「本件補正」という。） 
令和　元年　６月２６日　　：審尋
令和　元年　８月２９日　　：回答書
第２　本願発明
　本件補正によって補正された特許請求の範囲の請求項１（以下「本願発明」という。）は、以下のとおりである。
「前面に開口部を有する本体と、前面に透光性を有する扉前面板を有し前記開口部を開閉する扉と、前記扉前面板の前面に設けられた操作部と、前記扉前面板の後方の前記操作部に対向する位置に設けられ静電容量の変化を検出する検出部と、前記操作部を照明する光源とを備え、
　前記検出部は、前記光源から放出された光が透過して前記操作部へ導出する透光孔を前記操作部に対向する位置に備え、
　前記光源が、前記検出部の後方における前記透光孔と対向しない位置に設けられている
冷蔵庫。」
第３　拒絶の理由
　平成３１年４月８日の当審が通知した拒絶理由は、概略、次のとおりのものである。
（理由）この出願の下記の請求項に係る発明は、その出願前日本国内又は外国において頒布された下記の刊行物に記載された発明又は電気通信回線を通じて公衆に利用可能となった発明に基いて、その出願前にその発明の属する技術の分野における通常の知識を有する者が容易に発明をすることができたものであるから、特許法第２９条第２項の規定により特許を受けることができない。
・請求項１：引用文献等　１、２〜５  
・請求項２：引用文献等　１、２〜５ 
・請求項３：引用文献等　１、２〜６
　　　　　　　　　＜引　用　文　献　等　一　覧＞ 
 １．国際公開第２０１４／０３０５２６号 
 ２．特開２０１３−１１００５７号公報（周知技術を示す文献） 
 ３．特開２０１２−７４３４３号公報（周知技術を示す文献） 
 ４．特開２００８−１８６３７３号公報（周知技術を示す文献） 
 ５．特開２０１０−１１３６６５号公報（周知技術を示す文献） 
 ６．特開２０１２−５３７２５号公報 
第４　引用文献の記載及び引用発明
１　引用文献１
（１）　引用文献１に記載された事項
　引用文献１には、図面とともに以下の事項が記載されている（下線は、参考のために当審で付した。以下同じ。）。
「
前面に開口部を有する本体と、
　
前面に透光性を有する扉前面板を有し前記開口部を開閉する扉と、
　
前記扉前面板の前面に設けられた操作領域と、
　
前記操作領域内に設けられた操作部と、
　
前記操作部を後方から照明する光源と、
　
前記光源の点灯状態を制御する制御手段と、を備え、
　前記制御手段は、前記光源の点灯時に前記操作部に対する操作を有効にし、前記光源の消灯時に前記操作部に対する操作を無効にする
冷蔵庫。
 「発明が解決しようとする課題 
　上記した構成のものでは、使用者は、操作パネルの操作部を見ても、操作が可能か否か判断できない。 
　そこで、操作部の操作が可能か否かをわかりやすくすることができる冷蔵庫を提供する。」（[０００４]） 
「図３及び図４に示すように、操作パネルユニット１９は、表示用フィルム２３を有している。表示用フィルム２３は、操作パネルユニット１９の前面に設けられている。表示用フィルム２３は、複数この場合５個の操作部２４と、複数の表示部２５と、を有している。５個の
操作部２４は、操作領域２０の後方に位置している。
操作部２４および表示部２５は
後方から光源を発光させることで、扉前面板１３に映し出される。
扉前面板１３
「操作パネルユニット１９は、図４に示すタッチ検出用シート２７を有している。タッチ検出用シート２７は、表示用フィルム２３の裏側に設けられている。タッチ検出用シート２７は、５個のタッチ検出部２８と、１個のタッチ検出部２９を有している。
タッチ検出部２８、２９は、静電容量式のタッチセンサである。５個のタッチ検出部２８は、それぞれ５個の操作部２４の後方に位置している。１個のタッチ検出部２９は、第２操作部２２の後方に位置している。
　タッチ検出部２８は、操作部２４に対応している。タッチ検出部２８は、操作部２４の外形に対応して円形状に形成されている。タッチ検出部２９は、第２操作部２２に対応している。タッチ検出部２９は、第２操作部２２に対応した形状、例えるなら野球のホームベース形状に形成されている。
タッチ検出部２８および２９は、それぞれ透光性を有する透明電極で構成されている。
「制御部３５は、
タッチ検出用シート２７のタッチ検出部２８、２９と、使用者の例えば指との間の静電容量の変化を検出することにより、使用者のタッチ操作を検出する。
「操作表示装置１７は、操作パネルユニット１９を有している。操作パネルユニット１９は、操作部２４および表示部２５を設けた表示用フィルム２３と、
タッチ検出部２８を設けたタッチ検出用シート２７と、操作部２４および表示部２５を照明する光源３２、３３を設けた回路基板３１
「
」
（２）　以上の記載事項を総合し、操作部に着目すると、引用文献１は、以下の発明（以下「引用発明」という。）が記載されていると認められる。 
 「前面に開口部を有する本体と、 
 　前面に透光性を有する扉前面板を有し前記開口部を開閉する扉と、 
 　前記扉前面板の前面に設けられた操作領域と、 
 　前記操作領域内に設けられた操作部と、 
 　前記操作部を後方から照明する光源と、 
 　前記光源の点灯状態を制御する制御手段と、を備え、 
 　前記操作部は、その後方に、タッチ検出用シートのタッチ検出部を位置させ、前記タッチ検出部は、透光性を有する透明電極で構成され、
　前記タッチ検出用シートのタッチ検出部と、使用者の指との間の静電容量の変化を検出することにより、使用者のタッチ操作を検出する、
　冷蔵庫。」 
２　引用文献２
（１）　引用文献２に記載された事項
　引用文献２には、図面とともに以下の事項が記載されている。
「【請求項１】
　
タッチ操作を受け付けるスイッチ操作部と、
　
前記スイッチ操作部の内部に埋設され、光透過不能な非透光性材料により形成されるとともに、光透過可能な透光孔を有する導電性の静電容量検出用の電極板と、
　
前記透光孔を介して前記スイッチ操作部に光を照射する光源と、
　前記電極板の周囲全体を取り囲むように前記スイッチ操作部の内部に埋設され、ノイズ遮断性及び光反射性を有するシールド兼用反射板と、
を備えたことを特徴とする
スイッチ装置。
「【発明が解決しようとする課題】
【０００５】
　上記特許文献１記載の従来のタッチスイッチは、タッチ操作面の視認性を向上させるために、複数の構成部品を重ね合わせた構造を有するタッチ検知部の背後から照射する発光部の光取り出し効率を向上させる必要があり、タッチ操作面を効率的に照明させることが必要である。しかも、タッチ操作面の効率的な照明が低コストで実現されなければならない。
【０００６】
　本発明の目的は、
低コストであり、タッチ操作面に効率的に光を照射させることを可能としたスイッチ装置を提供する
「【００１５】
　このケース２内のスイッチ操作部３と対向する部位には、図１に示すように、配線基板５が配置されている。この配線基板５には、発光ダイオード６（以下、単に『ＬＥＤ６』という。）が搭載されている。
このＬＥＤ６は、スイッチ操作部３の樹脂成形体４を介してスイッチ操作面を背面照射する光源として用いられる。
「【００２０】
（電極板及びシールド兼用反射板の構成）
　この実施の形態に係るスイッチ装置１の主要な基本構成は、スイッチ操作部３の内部に、静電容量検出用の電極板８と、シールド及び光反射の共通化が図られた形態を有するシールド兼用反射板９とを備えたことにある。従って、上記スイッチ装置１の構成は、限定されるものではない。
【００２１】
　この実施の形態にあっては、電極板８とシールド兼用反射板９とは、図１に示すように、スイッチ操作部３を成形するための成形型内に収納した状態で、成形型内に溶融樹脂を注入することでモールドした樹脂成形体４に一体に形成されている。
【００２２】
　この樹脂成形体４の背面側に配置された配線基板５には、図示しない静電検出回路やコンデンサ等が回路パターンを介して接続されている。
この静電検出回路は、手指がスイッチ操作部３のスイッチ操作面に近接又は接触したことに応じて手指及び電極板８の相互間で発生するコンデンサ容量の変化を検出する
【００２３】
　この電極板８は、特に限定されるものではないが、例えば銅などの導電性の金属材により形成されており、電極板８の一側端縁部には、金属材を折り曲げたリード８ａが形成されている。このリード８ａには、配線基板５に搭載されたコネクタ１０が電気的に接続されている。
【００２４】
　この
電極板８のＬＥＤ６と対応する中間部には、図１〜図３に示すように、ＬＥＤ６からの光をスイッチ操作部３のスイッチ操作面に向けて照射するための円形の透光孔８ｂが貫通して形成されている。
【００２５】
　この電極板８の他の一例としては、例えば
電極板８の全域に複数の透光孔８ｂ，…，８ｂを均等に形成することができる。これにより、スイッチ操作部３のスイッチ操作面を満遍なく照明することもできる。
「
」
（２）　以上の記載事項を総合し、スイッチ装置に着目すると、引用文献２は、以下の技術的事項（以下「引２記載事項」という。）が記載されていると認められる。 
「スイッチ装置において、タッチ操作を受け付けるスイッチ操作部と、スイッチ操作部に対向する位置に光透過可能な透光孔を有する導電性の静電容量検出用の電極板と、前記透光孔を介して前記スイッチ操作部に光を照射する光源とを備えること。」　
３　引用文献３
（１）　引用文献３に記載された事項
 　引用文献３には、図面とともに以下の事項が記載されている。
「【００２５】
　図３は、図１および図２に示す誘導加熱調理器１の筺体の前側フランジ部とトッププレート３との間の構成を示す図１の線Ｚ−Ｚに沿った断面図であり、この前側フランジ部とトッププレート３との間に前記火力表示マーク５１、火力操作スイッチ兼表示マーク５３、操作スイッチマーク５５およびこれらのマークを構成する表示機能部および上述した
静電容量検知スイッチからなる操作スイッチ制御機能部
【００２６】
　図３において、符号１１は、誘導加熱調理器１の上述した筺体の前側の枠体を示すものであり、この前側枠体１１の上端は、図３で左側に折曲し、更に誘導加熱調理器の筺体の前方に延出して、前側フランジ部１３を構成している。この前側フランジ部１３と誘導加熱調理器１のトッププレート３との間に上述した各マーク５１、５３、５５、５７の内部構造を構成する表示機能部と
静電容量検知スイッチを含む操作スイッチ制御機能部
【００２７】
　まず、トッププレート３の下面には、非導電性のスパッタにより半透明層１５が形成され、この半透明層１５の下面には不透明な非導電性の塗装膜３７が形成され、この不透明な塗装膜３７によりトッププレート３の下方の内部が見えないようになっている。なお、この塗装膜３７に上述した火力表示マーク５１の『矩形』や火力操作スイッチ兼表示マーク５３の『とろ火』『弱火』『中火』『強火』なる文字が抜き孔などにより形成され、この抜き孔に対して下方から光で当てることにより、これらの『矩形』や『とろ火』『弱火』『中火』『強火』なる文字が照明表示されることになっている。また、この塗装膜３７の下面に前記支持部材３９および周縁部材２１の上面が当接し、これにより塗装膜３７、半透明層１５を介してトッププレート３を前側フランジ部１３で支持している。
【００２８】
　更に、前記塗装膜３７の下面には、例えば導電塗料の印刷焼き付けなどにより形成される第１の導電体２３が設けられ、この第１の導電体２３の下面は、
フレキシブル基板などからなる可撓性のある光透過性の電気絶縁基板２５
電機絶縁基板25を間に挟んだ第１の導電体２３と第２の導電体２７とにより上述した操作スイッチ制御機能部の静電容量検知スイッチを構成している。
【００２９】
　また、
第２の導電体２７の下面には、薄板状の光拡散板２９が取り付けられ、この光拡散板２９の下面には、導光部材３１が取り付けられている。
光拡散板２９は、導光部材３１を介したＬＥＤ３３からの光を受光すると、この光を上方に拡散するようになっている。
【００３０】
　図３において、塗装膜３７には、抜き孔などの開口部である２個の光透過部３７ａおよび光透過部３７ｂが形成されているが、図３は図１の線Ｚ−Ｚに沿った断面図であって、この光透過部３７ａは、図１に示す火力操作スイッチ兼表示マーク５３の『弱火』なる文字を示すための開口部であり、光透過部３７ｂは、火力表示マーク５１の左から４番目の『矩形』を示すための開口部である。
【００３１】
　まず、火力操作スイッチ兼表示マーク５３を構成する表示機能部および静電容量検知スイッチからなる操作スイッチ制御機能部について説明する。火力操作スイッチ兼表示マーク５３の表示機能部は、光透過部３７ａの下側の
第１の導電体２３にも同様に抜き孔などの開口部からなる光透過部２３ａが形成されているが、この第１の導電体２３の光透過部２３ａは、『弱火』なる文字の形の抜き孔などを第１の導電体２３に形成して構成されるものである。
【００３２】
　また、第１の導電体２３の光透過部２３ａの下方、すなわち第１の導電体２３の下面の電気絶縁基板２５を介した光透過部２３ａの下方の
第２の導電体２７にも同様に抜き孔などの開口部である光透過部２７ａが形成されている。この第２の導電体２７の光透過部２７ａも、光透過部２３ａと同様に、『弱火』なる文字の形の抜き孔などを第２の導電体２７に形成して構成されるものである
【００３３】
　このように
『弱火』なる文字の抜き孔が相似形に形成された第１の導電体２３の光透過部２３ａおよび第２の導電体２７の光透過部２７ａに対して、前記ＬＥＤ３３からの光が導光部材３１を伝播して光拡散板２９に入射して上方に拡散される
【００３４】
　なお、このＬＥＤ３３からの光による『弱火』なる文字の表示は、制御部３５の制御により行われるものである。すなわち、後述するように、この
『弱火』の火力操作スイッチ兼表示マーク５３を構成している静電容量検知スイッチがユーザの指などの近接または接触を検知し、この検知信号に応答して制御部が作動し、ＬＥＤ３３からの光による『弱火』なる文字の表示を行う
【００３５】
　この
光透過部２３ａおよび光透過部２７ａで構成される『弱火』なる文字表示部分は、この『弱火』なる文字の火力操作スイッチ兼表示マーク５３のうちの火力操作スイッチ部分である静電容量検知スイッチも構成している
この『弱火』なる文字表示部分に対してユーザが指などをトッププレート３の上方から近接または接触させると、この近接または接触を静電容量検知スイッチが静電容量の変化として検知し、この検知信号により制御部３５が作動し、対応する誘導加熱コイルの火力を『弱火』に設定するとともに、上述したように、『弱火』なる文字を表示する
静電容量検知スイッチは、電気絶縁基板２５を挟んだ光透過部２３ａを構成する第１の導電体２３と光透過部２７ａを構成する第２の導電体２７とで構成される。
【００３６】
　更に詳しくは、『弱火』なる文字の抜き孔は、例えば１５ｍｍ角程度の矩形の第１の導電体２３と第２の導電体２７に形成されているものであるが、この矩形の第１の導電体２３と第２の導電体２７の『弱火』なる文字として抜かれた部分以外のその他の残っている部分の第１の導電体２３と第２の導電体２７とが電気絶縁基板２５を挟んで静電容量の両電極として機能して静電容量検知スイッチを構成しているものである。従って、この『弱火』なる文字部分に対してユーザが指などをトッププレート３の上方から近接または接触させると、この近接または接触により電気絶縁基板２５を挟んだ『弱火』なる文字として抜かれた部分以外の矩形の第１の導電体２３と第２の導電体２７の間の静電容量が変化するので、この静電容量の変化を静電容量検知スイッチが検知するものである。
【００３７】
　すなわち、
光透過部３７ａの下側の光透過部２３ａと光透過部２７ａの第１の導電体２３および第２の導電体２７は、電気絶縁基板２５を挟んで静電容量検知スイッチとしても機能して、『弱火』なる文字へのユーザの指などの近接または接触を検知するとともに、この検知に応じて制御部３５が光透過部２３ａと光透過部２７ａからなる『弱火』なる文字をＬＥＤ３３の光で下方から照明して表示するとともに、誘導加熱コイルの火力を『弱火』に設定する
「
」
（２）　以上の記載事項を総合すると、引用文献３は、以下の技術的事項（以下「引３記載事項」という。）が記載されていると認められる。 
「火力操作スイッチ兼表示マーク５３を構成している静電容量検知スイッチにおいて、前記静電容量検知スイッチは、電気絶縁基板２５を間に挟んだ第１の導電体２３と第２の導電体２７とにより構成され、前記第１の導電体２３の下面は、フレキシブル基板などからなる可撓性のある光透過性の第２の導電体２７が設けられ、前記第２の導電体２７の下面には、薄板状の光拡散板２９が取り付けられ、この光拡散板２９の下面には、導光部材３１が取り付けられ、この導光部材３１の下端には、光源であるＬＥＤ３３が近接して設けられ、火力操作スイッチ兼表示マーク５３の表示機能部は、光透過部３７ａの下側の前記第１の導電体２３に『弱火』なる文字の形の抜き孔などの開口部からなる光透過部２３ａが形成され、光透過部２３ａと同様に、『弱火』なる文字の形の抜き孔などを前記第２の導電体２７に形成されること。」
４　引用文献４
（１）　引用文献４に記載された事項
　引用文献４には、図面とともに以下の事項が記載されている。
「【００３１】
（第１実施形態）
　以下、本発明に係る携帯用電子の第１実施形態を、図１から図５を参照して説明する。なお、本実施形態では、携帯用電子機器の一例として、電子辞書を例に挙げて説明する。
　本実施形態の電子辞書１は、図１から図３に示すように、ケース本体２と、ＬＥＤ（発光素子）３、４と、拡散板（光案内部）５と、遮光膜６と、静電パッド７と、表示部８と、制御部９とを備えている。
　ケース本体２は、プラスチックやアルミ等の金属材料により薄型の箱状に形成されている。このケースの上面には、ＬＥＤ３、４から発光された光が透過する光透過面２ａと、上記表示部８を保護するカバーガラス２ｂとが隣接した状態で設けられている。また、光透過面２ａ上には、所定の鍵盤配列（キーボード配列）でパターニングされてキーＫを表示する遮光膜６が設けられている。具体的にこの遮光膜６は、図４に示すように、キーＫを白抜きした状態で光透過面２ａ上に印刷されたものである。なお、本実施形態では、キーＫの一例としてアルファベットキーを例に挙げている。
【００３２】
　また、
ケース本体２内には、図２に示すように、
ＬＥＤ３、４等が実装
拡散板５、静電パッド７、表示部８
が内蔵されている。
　制御部９は、ＣＰＵ等の演算処理部、電子辞書１としての各種プログラム等が記憶されているＲＯＭ、一時記憶媒体であるＲＡＭ、表示部８の制御を行う表示制御部等を有している。そして制御部９は、静電パッド７から送られてくる信号に基づいて、各構成品を総合的に制御して電子辞書１として各種機能を作動させるようになっている。
【００３３】
　
静電パッド７は、光透過面２ａに対向するように配されており、
キーＫに指先が触れた際に変化する静電容量の変化に基づいて、指先の位置を検出
指先がキーＫに触れると、導体である指先と電極との間で静電誘導が発生して静電容量が変化する。
　また、
本実施形態の静電パッド７には、複数の図示しない貫通孔が形成されており、該貫通孔を通じて光が通過するようになっている。
【００３４】
　表示部８は、ＬＣＤ（Liquid Crystal Display）等の液晶表示器であり、カバーガラス２ｂの内側に位置した状態で設けられている。この表示部８は、制御部９の表示制御部によって制御されており、指先が触れたキーＫを表示（アルファベット表示）したり、その他各種情報（例えば、辞書の内容、単語の検索内容、乾電池１３の残量等）を表示したりするようになっている。
　上記ＬＥＤ３、４は、制御部９によって作動が制御されており、一方のＬＥＤ３は光透過面２ａを発光するＬＥＤとされ、他方のＬＥＤ４は表示部８を背面から照明するバックライトとして機能するＬＥＤとされている。そして両
ＬＥＤ３、４は
静電パッド７
の下方に位置するように配置
【００３５】
　上記拡散板５は、光透過面２ａとＬＥＤ３との間に設けられ、ＬＥＤ３から発せられた光Ｌ１を拡散させながら光透過面２ａに対して均等な光量で案内している。この拡散板５は、例えば、ガラス内に乳白色の光拡散物質を分散させたものであり、一面側から入射した光Ｌ１を内部で拡散させた後、他面側から光透過面２ａに向けて出射させている。また、本実施形態の拡散板５は、静電パッド７の下方に位置するように設けられている。なお、
拡散板５から出射された光Ｌ１は、静電パッド７の貫通孔を通過した後、光透過面２ａに入射する
　一方、ＬＥＤ４から発せられた光Ｌ２は、直接表示部８の背面に入射するようになっており、表示部８のバックライトとして機能する。」
「
」
（２）　以上の記載事項を総合すると、引用文献４は、以下の技術的事項（以下「引４記載事項」という。）が記載されていると認められる。 
「ケース本体２と、ＬＥＤ（発光素子）３、４と、拡散板（光案内部）５と、遮光膜６と、静電パッド７と、表示部８と、制御部９とを備えた電子辞書において、ケースの上面には、ＬＥＤ３、４から発光された光が透過する光透過面２ａと、上記表示部８を保護するカバーガラス２ｂとが隣接した状態で設けられ、静電パッド７は、光透過面２ａに対向するように配されており、静電パッド７には、複数の貫通孔が形成されており、該貫通孔を通じて光が通過するようになっていること。」
５　引用文献５
（１）　引用文献５に記載された事項
　引用文献５には、図面とともに以下の事項が記載されている。
「【００２０】
（第１の実施形態）
　図１は本発明のインターフェイス部材及びインターフェイス部材を有する携帯型電子機器の第１の実施形態のインターフェイス部側の外観図を示す図である。図１（ａ）はインターフェイス部材であり、図１（ｂ）は前記インターフェイス部材を有する携帯型電子機器である。
【００２１】
　本実施形態のインターフェイス部材は、例えば図１（ｂ）に示すように携帯型電子機器の表示画面１０２等が配置された筺体のインターフェイス部１０１に使用されるインターフェイス部材であって、図１（ａ）に示すように光の透過率の低い表示層１と、前記表示層１の入力操作位置１０３の裏側に部分的に設けられた半鏡面層２と、を備え、周辺光の照度が例えば標準的な室内照度等より大きい所定値以上等、照度が高い場合に前記半鏡面層２による反射光５により前記入力操作位置１０３を表現（表示）するように構成されている。
【００２２】
　この構成により通常の屋内等の使用環境における周辺照度では、光の透過率の低い表示層１によって、図１（ｂ）の点線で示すように入力操作位置１０３を携帯型電子機器のインターフェイス部の内部を隠してデザイン性を高めるとともに、屋外等のように前記所定値以上の高い周辺照度では、光の反射性を有する半鏡面層２により周辺光を反射し、その反射光で入力操作位置１０３を浮き出させる。
【００２３】
　また、周辺光の照度が低い場合は発振素子４を発光させ半鏡面層２の裏面側にのみ光を照射することにより、光の透過性を有する半鏡面層２を介して透過光をインターフェイス部１０１に出力して入力操作位置１０３を浮き出させることができる。
【００２４】
　このためのより具体的な
インターフェイス部材としては、各半鏡面層２の裏面側にユーザーの操作を検出するセンサ３と、前記センサ３の裏面側に発光素子４とを配置した構成とする
センサ３は発光素子４からの光の透過性を有する薄型センサや、光学的な開口を有するセンサ等とする
「
」
（２）　以上の記載事項を総合すると、引用文献５は、以下の技術的事項（以下「引５記載事項」という。）が記載されていると認められる。 
「インターフェイス部材において、ユーザーの操作を検出するセンサ３と、前記センサ３の裏面側に発光素子４とを配置し、センサ３は発光素子４からの光の透過性を有する薄型センサや、光学的な開口を有するセンサ等とすること。」
第５　対比 
　本願発明と引用発明とを対比すると、各文言の意味、機能または作用等からみて、後者の「前面」、「開口部」、「本体」、「扉前面板」、「扉」、「操作部」、「後方から照明する」、「光源」、「タッチ検出部」、「静電容量式」、及び「冷蔵庫」は、それぞれ前者の「前面」、「開口部」、「本体」、「扉前面板」、「扉」、「操作部」、「照明する」、「光源」、「検出部」、「静電容量の変化を検出する」、及び「冷蔵庫」に相当する。
　また、引用発明は、「扉前面板の前面に設けられた操作領域」と「操作領域内に設けられた操作部」とを備えているから、操作部の後方に位置するタッチ検出部は扉前面板の後方であることは明らかであり、引用発明の「タッチ検出部」は、「タッチ検出用シートのタッチ検出部と、使用者の指との間の静電容量の変化を検出することにより、使用者のタッチ操作を検出する」ものである。
　そうすると、引用発明の「前記操作部は、その後方に、タッチ検出用シートのタッチ検出部を位置させ」ることは、本願発明の「前記扉前面板の後方の前記操作部に対向する位置に設けられ静電容量の変化を検出する検出部」を有することに相当する。
　さらに、引用発明が「操作部を後方から照明する光源」を備え、「操作部は、その後方に、タッチ検出用シートのタッチ検出部を位置させ」ているから、光源から放出された光は透明電極で構成されたタッチ検出部を透過して操作部へ導出され、タッチ検出部は、光が透過する部分を有していることは明らかである。
　そうすると、引用発明の「タッチ検出部は、透光性を有する透明電極で構成させ」られた態様は、本願発明の「検出部は、前記光源から放出された光が透過して前記操作部へ導出する透光孔を前記操作部に対向する位置に備え」る態様と、「検出部は、前記光源から放出された光が透過して前記操作部へ導出する部位を前記操作部に対向する位置に備え」る限りで一致する。
　そうすると、両者は、以下の一致点で一致し、相違点で相違する。
                                              
＜一致点＞
「前面に開口部を有する本体と、前面に透光性を有する扉前面板を有し前記開口部を開閉する扉と、前記扉前面板の前面に設けられた操作部と、前記扉前面板の後方の前記操作部に対向する位置に設けられ静電容量の変化を検出する検出部と、前記操作部を照明する光源とを備え、
　前記検出部は、前記光源から放出された光が透過して前記操作部へ導出する部位を前記操作部に対向する位置に備える、
冷蔵庫。」
＜相違点＞
　光を透過させて操作部へ導出させる検出部の部位について、本願発明は、「透光孔」とされ、さらに、「光源が、前記検出部の後方における前記透光孔と対向しない位置に設けられ」とされているのに対して、引用発明は、「透光性を有する透明電極」の光が透過する部分である点。 
第６　判断 
　そこで、上記相違点について、以下に検討する。
　上記引２記載事項における、「スイッチ操作部に対向する位置に光透過可能な透光孔を有する導電性の静電容量検出用の電極板と、前記透光孔を介して前記スイッチ操作部に光を照射する光源とを備えること」、上記引３記載事項における、「火力操作スイッチ兼表示マーク５３を構成している静電容量検知スイッチにおいて、前記静電容量検知スイッチは、電気絶縁基板２５を間に挟んだ第１の導電体２３と第２の導電体２７とにより構成され」て、「第２の導電体２７の下面には、薄板状の光拡散板２９が取り付けられ、この光拡散板２９の下面には、導光部材３１が取り付けられ、この導光部材３１の下端には、光源であるＬＥＤ３３が近接して設けられ、火力操作スイッチ兼表示マーク５３の表示機能部は、光透過部３７ａの下側の前記第１の導電体２３に『弱火』なる文字の形の抜き孔などの開口部からなる光透過部２３ａが形成され、光透過部２３ａと同様に、『弱火』なる文字の形の抜き孔などを前記第２の導電体２７に形成されること。」、上記引４記載事項における、「静電パッド７は、光透過面２ａに対向するように配されており、静電パッド７には、複数の貫通孔が形成されており、該貫通孔を通じて光が通過するようになっていること」、上記引５記載事項における、「インターフェイス部材において、ユーザーの操作を検出するセンサ３と、前記センサ３の裏面側に発光素子４とを配置し、センサ３は発光素子４からの光の透過性を有する薄型センサや、光学的な開口を有するセンサ等とすること」の各記載事項の各部材配置からみて、「電気機器の操作部に対向する位置に設けられた静電容量の変化を検出する検出部と、前記操作部を照明する光源とを備えたものにおいて、前記検出部が、前記光源から放出された光を透過させて前記操作部へ導出する透光孔を前記操作部に対向する位置に備える」という構成は、本願出願前に周知の技術的事項（以下「周知技術」という。）と認められる。
　そうすると、引用発明と上記周知技術とは、電気機器の操作部という技術分野の関連性を有し、さらに、電気機器の操作部に対向する位置に設けられ静電容量の変化を検出する検出部と、前記操作部を照明する光源とを備えるという機能の共通性をも有するものである。
　よって、引用発明において、光を透過させて操作部へ導出させる部分を備え、透光性を有する透明電極に代えて、上記周知技術の検出部に置換することには動機付けがあるといえる。
　また、上記周知技術を採用するにあたり、透光孔と光源との配置の関係は、設ける透光孔の数や透光孔の配置を考慮し、当業者が適宜なし得る設計事項と認められる。
　例えば、上記周知技術を示す文献として提示された引用文献２の段落【００２５】に記載されているように、ＬＥＤによる均一照明は、従来より図られていることであり、また、同じく引用文献３の図３には、ＬＥＤ３３を文字の抜き穴と対向しない位置に設けた点が示されており、透光孔と対向させずにＬＥＤからの光を間接的に用いることは、必要な設計の範囲内のものであり、当然に着想し得ることである。
　そうすると、引用発明において、上記相違点に係る本願発明の特定事項を採用することは、当業者が容易に想到し得たことである。 
　また、本願発明の奏する効果は、引用発明及び周知技術から当業者が予測し得た範囲のものである。
　よって、本願発明は、引用発明及び周知技術に基いて当業者が容易に発明をすることができたものである。 
　なお、請求人は、令和元年６月２６日の審尋に対して、令和元年８月２９日の回答書において、補正案を示し、以下のように主張する。
「補正案の請求項１は、光源の中心が、検出部の後方における検出部と前後に対向する位置であって、かつ、透光孔と対向しない位置に設けられている点を特徴としています。」（「５．補正案について」参照。）
　しかしながら、光源の中心が、透光孔と対向しない位置に設けられたと特定しても、上記相違点の判断に影響を与えるものとは認められないので、当審は、拒絶理由を通知する必要性を認めなかった。
      　
第７　むすび 
　以上のとおり、本願発明は、引用発明及び周知技術に基いて、当業者が容易に発明をすることができたものであるので、特許法第２９条第２項の規定により、特許を受けることができない。
　したがって、本願は、他の請求項について検討するまでもなく拒絶すべきものである。
　よって、結論のとおり審決する。